(57)【要約】      （修正有）【課題】椎板または他の骨組織の円孔空き操作が便利で快速に実施可能であり、骨科手術中の低侵襲手術に適し、手術時間が短縮可能であり、ナイフヘッドが意外に折れるリスクが低減される超音波骨メスのナイフヘッドを提供する。【解決手段】ナイフヘッド頭部１と、ナイフロッド２と、ナイフボディ３とを備え、ナイフロッド２の一方端がナイフヘッド頭部１に接続され、ナイフロッド２の他方端がナイフボディ３に接続されている。ナイフヘッド頭部１の形状は、扁平シート状をなし、ナイフヘッド頭部１は、ナイフヘッドの軸方向を軸心として湾曲し、扁平シート状をなすナイフヘッド頭部１の内面と外面との曲率半径は、同じであり、ナイフヘッド頭部１には、円弧状部分が設けられている。【選択図】図２Ｂ
0003222599.tif 000002
【実用新案登録請求の範囲】
【請求項１】
ナイフヘッド頭部と、ナイフロッドと、ナイフボディとを備え、前記ナイフロッドの一方端が前記ナイフヘッド頭部に接続され、前記ナイフロッドの他方端が前記ナイフボディに接続されている超音波骨メスのナイフヘッドであって、
前記ナイフヘッド頭部の形状は、扁平シート状をなし、前記ナイフヘッド頭部は、ナイフヘッドの軸方向を軸心として湾曲し、扁平シート状をなす前記ナイフヘッド頭部の内面と外面との曲率半径は、同じであり、前記ナイフヘッド頭部には、円弧状部分が設けられていることを特徴とする超音波骨メスのナイフヘッド。
【請求項２】
前記円弧状部分は、前記ナイフヘッド頭部の片側に設けられていることを特徴とする請求項１に記載の超音波骨メスのナイフヘッド。
【請求項３】
前記円弧状部分には、ナイフ歯が設けられていることを特徴とする請求項１または２に記載の超音波骨メスのナイフヘッド。
【請求項４】
前記円弧状部分は、前記ナイフヘッド頭部の頂部に設けられていることを特徴とする請求項１に記載の超音波骨メスのナイフヘッド。
【請求項５】
前記ナイフヘッド頭部の片側面には、ナイフ歯が設けられていることを特徴とする請求項１、２または４に記載の超音波骨メスのナイフヘッド。
【請求項６】
前記超音波骨メスのナイフヘッドは、中空構造をなすことを特徴とする請求項１、２または４に記載の超音波骨メスのナイフヘッド。
【請求項７】
前記ナイフロッドと前記ナイフヘッド頭部との接続箇所には、液体案内孔が設けられていることを特徴とする請求項６に記載の超音波骨メスのナイフヘッド。
【請求項８】
前記ナイフヘッド頭部内には、前記液体案内孔と連通する液体案内溝が設けられていることを特徴とする請求項７に記載の超音波骨メスのナイフヘッド。
【請求項９】
前記ナイフロッドと前記ナイフボディとの移行には、斜面または円弧が用いられることを特徴とする請求項１、２、４、７または８に記載の超音波骨メスのナイフヘッド。
【請求項１０】
前記ナイフボディの他方端には、超音波変換器と接続するための接続機構が設けられ、前記ナイフボディの外面には、挟持用のクランピング面が設けられていることを特徴とする請求項１、２、４、７または８に記載の超音波骨メスのナイフヘッド。
【考案の詳細な説明】
【技術分野】
【０００１】
本考案は、医療器械機器分野に関し、具体的に超音波メス、特に超音波骨メスのナイフヘッドに関する。
【背景技術】
【０００２】
現代社会では、医療技術の発展につれて、骨科手術が多様化の傾向を表す。それ相応に、骨科手術において、超音波骨メスを用いて骨に対して切断、研削、ガウジング、掘り下げまたは任意整形を行うことがよくある。
【０００３】
骨格構造の特殊構造について、近年発展しつつある超音波技術を組み合わせると、超音波骨メスは、徐々に現代骨科手術の主なツールになってきている。骨科手術では、よく用いられる超音波骨メスのシート状ナイフヘッドは、図１に示すように、切断をメインにするナイフヘッドである。しかし、現在このようなナイフヘッドの多くは、ストレートシート状をメインにし、骨組織に対して穴開き操作を行う必要が生じるとき、ストレートシート状ナイフの操作性が非常に悪くて、不適切な使用によってナイフヘッドが折れる危険をもたらして他の非手術部位に傷づけて更なる危険を引き起こす恐れがある。こうして、医療従事者の操作レベルがより高く要求され、医者の心身のプレッシャーが増加し、手術成功率が低減され、患者の手術リスクが高まる。
【考案の概要】
【考案が解決しようとする課題】
【０００４】
上記従来技術の問題を解決すべく、本考案は、超音波骨メスのナイフヘッドを提供する。当該超音波骨メスのナイフヘッドは、ナイフヘッド頭部と、ナイフロッドと、ナイフボディとを備え、前記ナイフロッドの一方端が前記ナイフヘッド頭部に接続され、前記ナイフロッドの他方端が前記ナイフボディに接続され、前記ナイフヘッド頭部の形状は、扁平シート状をなし、前記ナイフヘッド頭部は、ナイフヘッドの軸方向を軸心として湾曲し、扁平シート状をなす前記ナイフヘッド頭部の内面と外面との曲率半径は、同じであり、前記ナイフヘッド頭部には、円弧状部分が設けられている。
【０００５】
本考案の超音波骨メスのナイフヘッドにおいて、好ましくは、前記円弧状部分は、前記ナイフヘッド頭部の片側に設けられている。
【０００６】
本考案の超音波骨メスのナイフヘッドにおいて、好ましくは、前記円弧状部分には、ナイフ歯が設けられている。
【０００７】
本考案の超音波骨メスのナイフヘッドにおいて、好ましくは、前記円弧状部分は、前記ナイフヘッド頭部の頂部に設けられている。
【０００８】
本考案の超音波骨メスのナイフヘッドにおいて、好ましくは、前記ナイフヘッド頭部の片側面には、ナイフ歯が設けられている。
【０００９】
本考案の超音波骨メスのナイフヘッドにおいて、好ましくは、前記超音波骨メスのナイフヘッドは、中空構造をなす。
【００１０】
本考案の超音波骨メスのナイフヘッドにおいて、好ましくは、前記ナイフロッドと前記ナイフヘッド頭部との接続箇所には、液体案内孔が設けられている。
【００１１】
本考案の超音波骨メスのナイフヘッドにおいて、好ましくは、前記ナイフヘッド頭部内には、前記液体案内孔と連通する液体案内溝が設けられている。
【００１２】
本考案の超音波骨メスのナイフヘッドにおいて、好ましくは、前記ナイフロッドと前記ナイフボディとの移行には、斜面または円弧が用いられる。
【００１３】
本考案の超音波骨メスのナイフヘッドにおいて、好ましくは、前記ナイフボディの他方端には、超音波変換器と接続するための接続機構が設けられ、前記ナイフボディの外面には、挟持用のクランピング面が設けられている。
【図面の簡単な説明】
【００１４】
本考案の具体的な実施形態または従来技術における技術案をより明瞭に説明するために、具体的な実施形態または従来技術の記述に使用すべき図面を以下に簡単に紹介する。明らかに、以下の記述における図面が本考案の幾つかの実施形態に係り、当業者であれば、進歩性に値する労働をせずに、これらの図面から他の図面を得ることができる。
【００１５】
【図１】従来技術のストレートシート状超音波骨メスのナイフヘッドの構造模式図である。
【図２Ａ】本考案の超音波骨メスのナイフヘッドの第１実施形態の斜視模式図である。
【図２Ｂ】本考案の超音波骨メスのナイフヘッドの第１実施形態の正面図である。
【図２Ｃ】本考案の超音波骨メスのナイフヘッドの第１実施形態の別の角度の斜視模式図である。
【図３Ａ】本考案の超音波骨メスのナイフヘッドの第２実施形態の斜視模式図である。
【図３Ｂ】本考案の超音波骨メスのナイフヘッドの第２実施形態の正面図である。
【図３Ｃ】本考案の超音波骨メスのナイフヘッドの第２実施形態の別の角度の斜視模式図である。
【図４Ａ】本考案の超音波骨メスのナイフヘッドの中空構造実施例の斜視模式図である。
【図４Ｂ】本考案の超音波骨メスのナイフヘッドの中空構造実施例の正面図である。
【図４Ｃ】本考案の超音波骨メスのナイフヘッドの中空構造実施例の別の角度の斜視模式図である。
【図４Ｄ】本考案の超音波骨メスのナイフヘッドの中空構造実施例の底面図である。
【図４Ｅ】本考案の超音波骨メスのナイフヘッドの中空構造実施例の内部中空構造を示す正面図である。
【図４Ｆ】本考案の超音波骨メスのナイフヘッドの中空構造実施例の左側面図である。
【図５Ａ】本考案の超音波骨メスのナイフヘッドの別の中空構造実施例の斜視模式図である。
【図５Ｂ】本考案の超音波骨メスのナイフヘッドの別の中空構造実施例の正面図である。
【図５Ｃ】本考案の超音波骨メスのナイフヘッドの別の中空構造実施例の別の角度の斜視模式図である。
【図５Ｄ】本考案の超音波骨メスのナイフヘッドの別の中空構造実施例の内部中空構造を示す正面図である。
【図５Ｅ】本考案の超音波骨メスのナイフヘッドの別の中空構造実施例の左側面図である。
【考案を実施するための形態】
【００１６】
以下では、図面を組み合わせて本考案の解決手段を明瞭で完全に記述する。明らかに、記述される実施例が本考案の一部の実施例であり、全ての実施例ではない。本考案における実施例に基づいて、当業者が進歩性に値する労働をせずに得る全ての他の実施例は、何れも本考案の保護範囲に含まれる。
【００１７】
本考案の記述において、説明すべきことは、「中心」、「上」、「下」、「左」、「右」、「垂直」、「水平」、「内」、「外」等の方位や位置関係を指示する用語が図面に示す方位や位置関係に基づくものであり、単に本考案の説明の容易化及び記述の簡素化のためのものであり、かかる装置や素子が必ず特定の方位を有することや、特定の方位で構造や操作を形成することをあえて指示やヒントするものではない。したがって、それらは、本考案に対する制限として理解され得ない。また、用語「第１」、「第２」、「第３」は、単に記述の目的であり、相対的な重要性を指示やヒントするものとして理解され得ない。
【００１８】
本考案の記述において、説明すべきことは、明確な規定と限定が別途存在しない限り、用語「取り付け」、「連結」、「接続」は、広義で解釈されるべきである。例えば、固定接続、取り外し可能な接続或いは一体化接続であってもよいし、機械接続或いは電気接続であってもよいし、直接連結、中間媒体を介する間接連結、或いは２つの素子内部の連通であってもよい。当業者であれば、具体的な状況に応じて上記用語の本考案での具体的な意味を理解できる。
【００１９】
以下では、図面を組み合わせて具体的な実施例により本考案を更に詳細に記述する。図２Ａは、本考案の超音波骨メスのナイフヘッドの第１実施形態の斜視模式図であり、図２Ｂは、本考案の超音波骨メスのナイフヘッドの第１実施形態の正面図であり、図２Ｃは、本考案の超音波骨メスのナイフヘッドの第１実施形態の別の角度の斜視模式図である。図２Ａ〜図２Ｃに示すように、本考案の超音波骨メスのナイフヘッドの第１実施例方式に係る超音波骨メスのナイフヘッドは、ナイフヘッド頭部１、ナイフロッド２及びナイフボディ３を備え、ナイフロッド２の一方端がナイフヘッド頭部１に接続され、ナイフロッド２の他方端がナイフボディ３に接続されている。ナイフヘッド頭部１の形状は、扁平シート状または微錐扁平シート状をなし、全ナイフヘッド頭部１は、ナイフヘッドの軸方向を軸心として、内方へ湾曲して一定の角度を呈し、扁平シート状をなす前記ナイフヘッド頭部１の内面と前記円弧状の外面との曲率半径は、同じである。つまり、ナイフヘッド頭部１の全シート状部分が湾曲する弧度が一致し、厚さも一致する。全ナイフヘッド頭部１が呈する弧度は、同心円の一部とされる。切断を行う際、当該扁平シート状をなすナイフヘッド頭部１が所在する円の直径は、窗口の大きさを定める。ナイフヘッド頭部１の一方側には、円弧状部分４が設けられている。円弧状部分４には、ナイフ歯５が開設されている。例えば、複数の円弧状凹溝が設けられて歯状が形成されてもよい。本考案の超音波骨メスのナイフヘッドでは、図２Ａ〜図２Ｃにも示すように、ナイフボディ３が円柱体形状をなし、ナイフロッド２が円柱体形状をなし、ナイフロッド２の外径がナイフボディ３の外径より小さく、ナイフロッド２とナイフボディ３との間の円滑移行に、斜面または円弧が用いられる。円滑移行の構造により、応力集中が有効に防止されつつ、被施術者及びオペレータへの先鋭な角部の傷害も防止可能である。また、ナイフボディ３には、挟持用のクランピング面８が設けられてもよい。こうして、オペレータが挟持ツールでクランピング面８を挟持して本考案の超音波骨メスのナイフヘッドを変換器に締め付けることは便利になる。好ましくは、クランピング面８は、正六角レンチビットである。
【００２０】
図３Ａは、本考案の超音波骨メスのナイフヘッドの第２実施形態の斜視模式図であり、図３Ｂは、本考案の超音波骨メスのナイフヘッドの第２実施形態の正面図であり、図３Ｃは、本考案の超音波骨メスのナイフヘッドの第２実施形態の別の角度の斜視模式図である。図３Ａ〜図３Ｃに示すように、本考案の第２実施形態に係る超音波刀ナイフヘッドは、円弧状部分４がナイフヘッド頭部１の頂部に設けられている。ナイフヘッド頭部１の片側面にナイフ歯５が開設され、ナイフ歯５が円弧状部分４の末端から開始する。これは、別の切断操作方式をオペレータへ提供可能である。
【００２１】
図４Ａは、本考案の超音波骨メスのナイフヘッドの中空構造実施例の斜視模式図であり、図４Ｂは、本考案の超音波骨メスのナイフヘッドの中空構造実施例の正面図であり、図４Ｃは、本考案の超音波骨メスのナイフヘッドの中空構造実施例の別の角度の斜視模式図であり、図４Ｄは、本考案の超音波骨メスのナイフヘッドの中空構造実施例の底面図であり、図４Ｅは、本考案の超音波骨メスのナイフヘッドの中空構造実施例の内部中空構造を示す正面図であり、図４Ｆは、本考案の超音波骨メスのナイフヘッドの中空構造実施例の左側面図である。図４Ａ〜図４Ｆに示すように、本考案の第１実施形態の変形例として、本考案の超音波骨メスのナイフヘッドでは、ナイフヘッドの中心に貫通ホールが開設されて中空構造が形成され、ナイフヘッド頭部１とナイフロッド２との接続箇所に液体案内孔６が設けられてもよい。液体案内孔６は、ナイフヘッド頭部１の内面と外面とのどちらにも１つずつ設けられている。液体案内孔６は、水の流れをナイフヘッド頭部の手術切断面へ案内することを確保可能であるとともに、ナイフヘッド自身にも冷却作用を果す。手術時、全ナイフヘッド頭部及び接触した組織をリアルタイムで完全に注入液によって洗浄および冷却され、切除された骨くずを直ちに排出することを確保し、切口での視野を鮮明できれいにし、保留すべき組織を損傷から保護可能である。こうして、手術のリスクが更に低減され、手術安全性や成功率が向上する。中空構造となる超音波刀ナイフヘッドは、更に、ナイフヘッドの重量をある程度低減して、ナイフヘッド構造をより小型化・軽量化し、所持の利便性を高め、操作をより便利で柔軟にする。
【００２２】
図５Ａは、本考案の超音波骨メスのナイフヘッドの別の中空構造実施例の斜視模式図であり、図５Ｂは、本考案の超音波骨メスのナイフヘッドの別の中空構造実施例の正面図であり、図５Ｃは、本考案の超音波骨メスのナイフヘッドの別の中空構造実施例の別の角度の斜視模式図であり、図５Ｄは、本考案の超音波骨メスのナイフヘッドの別の中空構造実施例の斜視図であり、図５Ｅは、本考案の超音波骨メスのナイフヘッドの別の中空構造実施例の左側面図である。図５Ａ〜図５Ｅに示すように、本考案の超音波骨メスのナイフヘッドでは、ナイフヘッドの中心に貫通ホールが開設されることで中空構造が形成され、ナイフヘッド頭部１とナイフロッド２との接続箇所に液体案内孔６が設けられ、ナイフヘッド頭部１に液体案内溝７が設けられている。液体案内溝７は、図５Ｂ〜５Ｄに示すように、ナイフヘッド頭部１の局所のみに設けられてもよい。液体案内溝７は、さらに、ナイフヘッド頭部１の前部頂端まで延在するように設けられてもよい。液体案内溝７の存在により、もっと大量の水の流動をナイフヘッド頭部の手術切断箇所に案内することを確保可能であり、ナイフヘッドの手術部位へより充分の冷却を与える。手術時、全ナイフヘッド頭部および接触した組織がリアルタイムで完全に注入液によって洗浄および冷却され、切除された骨くずをよりタイムリーに排出することが確保可能であり、切口での視野がより鮮明且つきれいであり、手術過程における洗浄および冷却効果が一層向上する。
【００２３】
本考案の超音波骨メスのナイフヘッドでは、ナイフボディ３に接続機構が設けられている。好ましくは、当該接続機構は、ネジ構造であり、当該ネジ構造が雄ネジであってもよく雌ネジであってもよい。無論、接続機構は、ネジ構造に限定されず、本考案の超音波骨メスのナイフヘッドを取り外し可能に変換器に固定できる如何なる接続機構も、本考案の超音波骨メスのナイフヘッドのナイフボディに配置可能である。本考案の超音波骨メスのナイフヘッドのナイフボディの接続ネジを特定の超音波変換器に接続し、対応するレンチで締め付けてから、超音波変換器を特定の超音波装置本体に接続すると、作業可能になる。
【００２４】
従来技術よりも、本考案の実施例のメリットは、下記のようになる。本考案における超音波骨メスのナイフヘッドは、超音波変換器で発生した全てのエネルギーをナイフ先端部分（最も有効な作業部分）に集めることが可能であり、ナイフのナイフ先端部分に最強のエネルギー出力を有させ、最強の作業効果を達成する。ナイフヘッド頭部メイン切断部分の裏側部分、即ち、ナイフ歯が形成された裏側部分に、平面或いは円弧状構造が用いられるため、脊髓をバイパスして切断するときに脊髓に対する引掻きが有効に回避可能であり、手術の安全性が向上する。当該超音波骨メスのナイフヘッドを用いて骨切りを行う際、椎板または他の骨組織に対する円孔空き操作が便利で快速に実行可能であり、骨科手術中の低侵襲手術に適し、手術時間が短縮可能である。
【００２５】
上記各実施例が単に本考案の解決手段を説明するためのものであり、制限とはならない。上記各実施例を参照して本考案を詳細に説明したが、当業者であれば分かるように、上記各実施形態で記載された解決手段を変更し、または一部若しくは全部の構成要件に対して均等物による置換を行うことも可能である。また、これらの変更または置換によるかかる技術案の要旨が本考案の各実施形態の解決手段の範囲から逸脱することはない。
【符号の説明】
【００２６】
１  ナイフヘッド頭部
２  ナイフロッド
３  ナイフボディ
４  円弧状部分
５  ナイフ歯
６  液体案内孔
７  液体案内溝
８  クランピング面
【図１】
0003222599.tif 000003
【図２Ａ】
0003222599.tif 000004
【図２Ｂ】
0003222599.tif 000005
【図２Ｃ】
0003222599.tif 000006
【図３Ａ】
0003222599.tif 000007
【図３Ｂ】
0003222599.tif 000008
【図３Ｃ】
0003222599.tif 000009
【図４Ａ】
0003222599.tif 000010
【図４Ｂ】
0003222599.tif 000011
【図４Ｃ】
0003222599.tif 000012
【図４Ｄ】
0003222599.tif 000013
【図４Ｅ】
0003222599.tif 000014
【図４Ｆ】
0003222599.tif 000015
【図５Ａ】
0003222599.tif 000016
【図５Ｂ】
0003222599.tif 000017
【図５Ｃ】
0003222599.tif 000018
【図５Ｄ】
0003222599.tif 000019
【図５Ｅ】
0003222599.tif 000020